(57)【要約】  第１の電子デバイス１１０、第２の電子デバイス１３０、並びに、第１及び第２の電子デバイス１１０，１３０を有するシステム１００が提供される。また、第１の電子デバイス１００を制御する方法及び方法を実行するためのコンピュータプログラムが提供される。第１の電子デバイス１００及び第２の電子デバイス１３０は、各々が体結合通信インタフェース１１６，１３４を有し、ユーザ１５０が双方の体結合通信インタフェース１１６，１３４の直接的近接にあるとき、第１の電子デバイス１１０は、識別データ１１２を体伝送チャネル１６０を介して第２の電子デバイス１３０に送信する。その後、第２の電子デバイス１３０は、受信した識別データに基づいて、制御ユーザインタフェースを取得する。取得された制御ユーザインタフェースは、第２の電子デバイスのユーザインタフェース提示部１３８上に提示される。
2016511947.tif 000002
【特許請求の範囲】
【請求項１】
第２の電子デバイスであって、
ユーザインタフェースをユーザに提示するためのユーザインタフェース提示部と、
ユーザからのユーザ入力を受信するための入力受信手段と、
第１の電子デバイスの第１の体結合通信インタフェース及び第２の体結合通信インタフェースの直接的近接に同時にあるユーザの体をたどる体伝送チャネルを介して識別データを受信するように構成される第２の体結合通信インタフェースであって、体の直接的近接は、ユーザの体と前記第１の体結合通信インタフェース及び前記第２の体結合通信インタフェースのそれぞれとの間の最大距離として規定され、それぞれの体結合通信インタフェースは、前記体伝送チャネルを介してデータを送信及び／又は受信可能である、第２の体結合通信インタフェースと、
前記第１の電子デバイスの前記識別データの受信に基づいて前記第１の電子デバイスに関連する制御ユーザインタフェースを取得するように構成され、取得された制御ユーザインタフェースを前記ユーザインタフェース提示部を介してユーザに提示するように構成される、コントローラとを有する、第２の電子デバイス。
【請求項２】
当該第２の電子デバイスは、提示された制御ユーザインタフェースに関連したユーザ入力が受信された後に制御データを前記第１の電子デバイスに送信するように構成され、前記制御データは、受信したユーザ入力に基づく、請求項１に記載の第２の電子デバイス。
【請求項３】
前記第２の体結合通信インタフェースは、第１の電子デバイスの前記第１の体結合通信インタフェース及び前記第２の体結合通信インタフェースの直接的近接に同時にあるユーザの体をたどる前記体伝送チャネルを介して制御データを送信するように構成される、請求項２に記載の第２の電子デバイス。
【請求項４】
前記コントローラは、前記第１の電子デバイスに関連する前記制御ユーザインタフェースを、当該第２の電子デバイスの内部記憶装置から、前記体伝送チャネル若しくは前記第１の電子デバイスと前記第２の電子デバイスとの間の他の通信チャネルを介して前記第１の電子デバイスから、又は、ネットワークを介してサーバから、取得するように構成される、請求項１に記載の第２の電子デバイス。
【請求項５】
前記ユーザインタフェース提示部は、ディスプレイであり、前記第２の電子デバイスは、異なるタイプのコンテンツを前記ディスプレイ上に提示するように更に構成され、前記コントローラは、受信した識別データに基づいて、及び、ユーザが前記第１の電子デバイスの前記第１の体結合通信インタフェース及び前記第２の体結合通信インタフェースの直接的近接に同時にある時点で前記ディスプレイ上に提示されているコンテンツのタイプに基づいて、前記制御ユーザインタフェースを取得するように構成される、請求項１に記載の第２の電子デバイス。
【請求項６】
第１の電子デバイスであって、
第１の体結合通信インタフェースの直接的近接にあるユーザの体をたどる体伝送チャネルを介して当該第１の電子デバイスの識別に関連する識別データを送信するように構成される第１の体結合通信インタフェースを有し、
前記直接的近接は、ユーザの体と前記第１の体結合通信インタフェースとの間の最大距離として規定され、
前記第１の体結合通信インタフェースは、前記体伝送チャネルを介してデータを送信及び／又は受信することができ、
当該第１の電子デバイスは、前記識別データを送信した後に、制御データを受信し、当該第１の電子デバイスの動作を適宜制御するように更に構成される、第１の電子デバイス。
【請求項７】
前記第１の体結合通信インタフェースは、前記体伝送チャネルを介して制御データを受信するように構成される、請求項６に記載の第１の電子デバイス。
【請求項８】
第１の電子デバイスを制御するためのシステムであって、
請求項６又は請求項７に記載の第１の電子デバイスと、
請求項１−５のうちいずれか一項に記載の第２の電子デバイスとを有する、システム。
【請求項９】
前記第１の電子デバイスは、ワイヤレス伝送チャネルを介して他のデバイスと通信するための第１のワイヤレストランシーバを有し、
前記第２の電子デバイスは、ワイヤレス伝送チャネルを介して他のデバイスと通信するための第２のワイヤレストランシーバを有し、
前記第１の体結合通信インタフェースは、前記体伝送チャネルを介してワイヤレス接続を設定するための接続セットアップデータを送信するように構成され、
前記第２の体結合通信インタフェースは、前記体伝送チャネルを介して接続セットアップデータを受信するように構成され、
前記第２の電子デバイスのコントローラは、受信した接続セットアップデータを用いて前記第２のワイヤレストランシーバと前記第１のワイヤレストランシーバとの間のワイヤレス接続の生成を制御するように構成され、
前記第２の電子デバイスは、前記ワイヤレス接続を介して前記制御データを送信するように構成される、請求項８に記載のシステム。
【請求項１０】
異なる電子デバイスの制御ユーザインタフェースを格納するためのサーバを更に有し、
前記サーバは、特定のネットワークに接続するためのネットワークインターフェースを有し、
前記サーバは、前記第１の電子デバイスのための制御ユーザインタフェースを供給するためのリクエストの受信に基づいて前記第１の電子デバイスに関連した前記制御ユーザインタフェースを前記第２の電子デバイスに供給するように構成され、
前記特定のネットワーク及び前記第２の電子デバイスに接続するためのネットワークインターフェースを有する前記第２の電子デバイスは、前記第１の電子デバイスに関連した前記制御ユーザインタフェースを取得している間、前記リクエストを前記特定のネットワークを介して前記サーバに送信するように構成される、請求項８に記載のシステム。
【請求項１１】
第１の電子デバイスを制御する方法であって、
前記第１の電子デバイスの第１の体結合通信インタフェースの直接的近接にあるユーザの体をたどる体伝送チャネルを介して前記第１の電子デバイスの識別に関連した識別データを送信する段階と、
第１の電子デバイスの前記第１の体結合通信インタフェース及び第２の体結合通信インタフェースの直接的近接に同時にあるユーザの体をたどる前記体伝送チャネルを介して第２の電子デバイスの前記第２の体結合通信インタフェースにおいて前記識別データを受信する段階であって、体の前記直接的近接は、ユーザの体と前記第１の体結合通信インタフェース及び前記第２の体結合通信インタフェースのそれぞれとの間の最大距離として規定され、それぞれの体結合通信インタフェースは、前記体伝送チャネルを介してデータを送信及び／又は受信することが可能である、段階と、
前記識別データの受信に基づいて前記第１の電子デバイスに関連した制御ユーザインタフェースを取得する段階と、
取得された制御ユーザインタフェースを前記第２の電子デバイスのユーザインタフェース提示部上に提示する段階とを有する、方法。
【請求項１２】
提示されたユーザインタフェースに関連したユーザ入力を前記第２の電子デバイスの入力受信手段において受信する段階と、
前記ユーザ入力が受信された後に、制御データを前記第２の電子デバイスから前記第１の電子デバイスに送信する段階であって、前記制御データは、受信したユーザ入力に基づく、段階と、
前記第１の電子デバイスにおいて前記制御データを受信する段階と、
受信した制御データに従って前記第１の電子デバイスの動作を制御する段階とを更に有する、請求項１１に記載の方法。
【請求項１３】
請求項１１に記載の方法をプロセッサシステムに実行させるか又は請求項１２に記載の方法をプロセッサシステムに実行させるための命令を有する、コンピュータプログラム製品。
【発明の詳細な説明】
【技術分野】
【０００１】
本発明は、体伝送チャネルを通信チャネルとして用いるためのインタフェースを有する第１及び第２の電子デバイスに関する。本発明は、更に、第１の電子デバイスを制御するためのシステム、及び、第１の電子デバイスを制御する方法に関する。
【背景技術】
【０００２】
数十年の間、電子デバイスは、リモートコントローラのような他の電子デバイスによって制御可能である。昔から、制御情報は、とりわけ電子デバイスのために設計された通信プロトコルに基づいて赤外線によって通信される。
【０００３】
近年、汎用のリモートコントローラが利用可能になった。汎用のリモートコントローラは、これらの特定の電子デバイスの通信プロトコルについての認識を有するので、制御情報を多くの異なる電子デバイスに通信可能である。ユーザは、汎用のリモートコントローラを使用可能にする前に、電子デバイスにより制御したい電子デバイスを予め選択しなければならない。ユーザによる事前選択は、とりわけ汎用のリモートコントローラが多くの異なる電子デバイスとの組み合わせにおいて用いられないときに、極めて便利な解決策というわけではない。
【０００４】
今日、スマートフォン及び／又はタブレットのような幾つかの双方向電子デバイスは、赤外線を介して情報が他の電子デバイスに送信され得るように赤外線トランシーバを有する。ユーザは、双方向電子デバイスが、赤外線ベースの通信チャネルを介して送信されている制御データによって伝統的に制御される電子デバイスのためのリモートコントローラとして用いられ得るように、これらの双方向電子デバイスにアプリケーションをインストールしてもよいことが知られている。また、斯様な双方向電子デバイス上において、ユーザは、アプリケーションが正しいユーザインタフェースを選択して赤外線通信チャネルを介して必要とされる通信プロトコルを用いることができるように、どの電子デバイスが制御されるかについて、ユーザ入力をアプリケーションに供給しなければならない。
【発明の概要】
【発明が解決しようとする課題】
【０００５】
本発明の目的は、電子デバイスを他のデバイスにより制御するためのユーザフレンドリな解決策を提供することにある。
【課題を解決するための手段】
【０００６】
本発明の一態様による第２の電子デバイスは、ユーザインタフェース提示部と、入力受信手段と、第２の体結合通信インタフェースと、コントローラとを有する。ユーザインタフェース提示部は、ユーザインタフェースをユーザに提示可能である。入力受信手段は、ユーザからのユーザ入力を受信する。第２の体結合通信インタフェースは、第１の体結合通信インタフェース及び第２の体結合通信インタフェースの直接的近接においてユーザの体と同時にあるユーザの体をたどる体伝送チャネルを介して識別データを受信する。それぞれの体結合通信インタフェースに対する体の直接的近接は、ユーザの体と、第１の体結合通信インタフェース及び第２の体結合通信インタフェースのそれぞれとの間の最大の距離として規定される。それぞれの体結合通信インタフェースは、体伝送チャネルを介してデータを送信及び／又は受信可能である。コントローラは、第１の電子デバイスの識別データの受信に基づいて、第１の電子デバイスに関連した制御ユーザインタフェースを取得する。また、コントローラは、ユーザインタフェース提示部上に、取得された制御ユーザインタフェースを提示する。
【０００７】
ユーザが直観的な手段において第１の電子デバイス及び第２の電子デバイスにタッチしたときに、又は、ユーザが第１の電子デバイス及び第２の電子デバイスの直接的近接にあるときに、第２の電子デバイスは、第１の電子デバイスに関連する制御ユーザインタフェースを取得し、この制御ユーザインタフェースを提示することを可能とする。故に、ユーザは、この情報が体伝送チャネルを介して受信されるので、制御されるべき特定の第１の電子デバイス又はそのタイプを選択する必要がない。故に、第２の電子デバイスが、体伝送チャネルを介して識別データを送信可能な他の電子デバイスとの組み合わせにおいて用いられたときに、第２の電子デバイスは、タッチ又は直接的近接によってどの電子デバイスが制御されるべきかを示すための直観的な解決策を提供し、第２の電子デバイスは、制御ユーザインタフェースを供給し、制御ユーザインタフェースに対して入力を与えるための手段を供給する。
【０００８】
ユーザインタフェース提示部は、ユーザがユーザインタフェースを認識可能なように、ユーザインタフェースを提示可能な任意の手段であってもよい。これは、ユーザインタフェース提示部がディスプレイであってもよいことを意味するが、可聴的手段においてユーザインタフェースを提示するオーディオシステムであってもよい。
【０００９】
オプションとして、最大の距離は５ｃｍより近い。オプションとして、最大の距離は２ｃｍより近い。本発明のオプショナルな実施形態において、直接的近接は、ユーザが第１の体結合通信インタフェースにタッチし、第２の体結合通信インタフェースにタッチすることを意味する。
【００１０】
"取得する"という用語は、"第１の電子デバイスに関連した制御ユーザインタフェースを取得する"という状況で用いられることに留意されるべきである。この文書の以下のものにおいて、取得する異なる形式を示す幾つかの実施形態が述べられる。この文書の意味の範囲内において、"取得する"は、広義語として解釈される必要があり、これは、適切な制御ユーザインタフェースを選択する、ダウンロードする及び／若しくは取り出す、並びに／又は、適切な制御ユーザインタフェースをリクエストする、及び、受信するという動作をカバーする。
【００１１】
オプションとして、第２の電子デバイスは、提示された制御ユーザインタフェースに関連したユーザ入力が受信された後に、制御データを第１の電子デバイスに送信するように構成される。制御データは、受信したユーザ入力に基づく。故に、ユーザが入力を入力受信手段に供給したときに、第２の電子デバイスは、制御データを生成し、これを第１の電子デバイスに送信する。故に、第２の電子デバイスは、第１の電子デバイスのための一種の汎用のリモートコントローラになる一方で、ユーザは、制御されるべき特定の第１の電子デバイス又はそのタイプを予め選択する必要はない。
【００１２】
オプションとして、第２の体結合通信インタフェースは、第１の体結合通信インタフェース及び第２の体結合通信インタフェースの直接的近接に同時にあるユーザの体をたどる体伝送チャネルを介して制御データを送信するように構成される。従って、同じく、第２の電子デバイスとしての第１の電子デバイスは、追加の通信手段をもつ必要はない。供給された体結合通信インタフェースは、原理上、電子デバイス間で制御情報を通信するのに十分である。
【００１３】
オプションとして、コントローラは、第２の電子デバイスの内部記憶装置から、体伝送チャネル若しくは第１の電子デバイスと第２の電子デバイスとの間の他の通信チャネルを介して第１の電子デバイスから、又は、ネットワークを介してサーバから、第１の電子デバイスに関連した制御ユーザインタフェースを取得するように構成される。故に、オプションとして、第２の電子デバイスは、格納手段、第１の電子デバイスと通信するための他の手段、及び／又は、ネットワークへのネットワーク接続を有する。第１の電子デバイスに関連する制御ユーザインタフェースが第２の電子デバイスの内部格納手段に格納されたときには、格納された制御ユーザインタフェースを取得し、ユーザインタフェース提示部の支援によりこれを示すことが最も効率的である。第１の電子デバイスが、自己の制御ユーザインタフェースについての認識を有し、第１の電子デバイスが、特定のスクリプト又はプログラミング言語におけるこの制御ユーザインタフェースを第２の電子デバイスに供給可能な場合もある。体伝送チャネルが用いられてもよく、又は、例えば他の（ワイヤレス）接続が第１の電子デバイスと第２の電子デバイスとの間で生成される場合に、斯様な他の（ワイヤレス）接続を介して、体伝送チャネルが用いられてもよい。異なる制御ユーザインタフェースを有するサーバが利用可能であり、第２の電子デバイスは、第１の電子デバイスに関連する制御ユーザインタフェースをダウンロードするために斯様なサーバにコンタクトしてもよい場合もある。斯様な制御ユーザインタフェースは、ほぼ確実に、コードをプログラムする部分、スクリプト、又は、例えばマークアップ言語における一種のホームページであることに留意すべきである。
【００１４】
本発明の一態様は、第１の電子デバイスを提供する。本発明の一態様は、第２の電子デバイスを提供する。本発明の一態様は、第１の電子デバイスを制御するためのシステムを提供する。本発明の一態様は、第１の電子デバイスを制御する方法を提供する。本発明の一態様は、コンピュータプログラム製品を提供する。有利な実施形態は、従属請求項に規定される。
【００１５】
本発明の一態様による第１の電子デバイスは、第１の体結合通信インタフェースを有する。第１の体結合通信インタフェースは、第１の体結合通信インタフェースの直接的近接にあるユーザの体をたどる体伝送チャネルを介して第１の電子デバイスの識別に関する識別データを送信するように構成される。第１の体結合通信インタフェースに対する体の直接的近接は、ユーザの体と第１の体結合通信インタフェースとの間の最大の距離として規定され、第１の体結合通信インタフェースは、体伝送チャネルを介してデータを送信及び／又は受信可能である。第１の電子デバイスは、識別データを送信した後に、制御データを受信するように構成され、第１の電子デバイスの動作を適宜制御するように構成される。
【００１６】
故に、ユーザが第１の電子デバイスの第１の体結合通信インタフェースの直接的近接にあるときには、第１の電子デバイスの識別情報は、ユーザの体を介して他のデバイスに送信され得る。"直接的近接にある"とは、人が特定の装置を選択又は識別するための極めて直観的な手段である。"直接的近接"とは、ユーザが第１の体結合通信インタフェースにタッチし、タッチすることが、特定の第１の電子デバイスにポインティングする、より直観的な手段であることを意味してもよい。ユーザの体を介して識別データを送信することにより、第１の電子デバイスは、斯様な他のデバイスに情報を供給し、これは、ユーザが他のデバイスにおいてどのデバイスが制御されるべきかを予め選択しなければならないことを阻止する。故に、第１の電子デバイスは、他のデバイスがよりユーザフレンドリな手段において動作可能な状況を生成する。ユーザが第１の電子デバイス及び他のデバイスの直接的近接にあるとき、第１の電子デバイスの識別に関する情報は、他のデバイスに送信され、それ故、ユーザは、他のデバイスにより制御されるべき特定のデバイス又はそのタイプを予め選択する必要はない。
【００１７】
オプションとして、最大の距離は５ｃｍより近い。オプションとして、最大の距離は２ｃｍより近い。本発明のオプショナルな実施形態において、直接的近接は、ユーザが第１の体結合通信インタフェースにタッチすることを意味する。
【００１８】
オプションとして、第１の体結合通信インタフェースは、制御データを体伝送チャネルを介して受信するように構成される。
【００１９】
本発明の別の態様では、本発明の一態様による第１の電子デバイスを有し、本発明の一態様による第２の電子デバイスを有するシステムが提供される。他の態様によるシステムは、第１の電子デバイスを制御するユーザフレンドリな手段を提供する。ユーザは、第１の電子デバイス及び第２の電子デバイスに同時にタッチするか、又は、第１の電子デバイス及び第２の電子デバイスの直接的近接においてユーザの体とともに存在し、その後、第１の電子デバイスに関連する制御ユーザインタフェースは、第２の電子デバイスのユーザインタフェース提示部の支援によりユーザに提示される。２つのデバイスを同時にタッチすること、又は、２つのデバイスの直接的近接において体と一緒に存在することは、ユーザが第２の電子デバイスにより第１の電子デバイスを制御するのを望むことをデバイスに通信する極めて直観的な手段である。
【００２０】
オプションとして、ユーザインタフェース提示部は、ディスプレイであり、第２の電子デバイスは、ディスプレイ上に異なるタイプのコンテンツを示すように構成される。第２の電子デバイスのコントローラは、受信した識別データに基づいて、及び、ユーザが第１の電子デバイス及び第２の電子インタフェースの体結合通信インタフェースの直接的近接に同時にある時点でディスプレイ上に示されているコンテンツのタイプに基づいて、制御ユーザインタフェースを取得するように構成される。第２の電子デバイスは、ディスプレイ上に示されているコンテンツが制御ユーザインタフェースを取得及び選択するプロセスにおいて考慮されるときに、よりユーザフレンドリになる。例えば、第１の電子デバイスは、スライドショーにおいて一連の画像を連続的に提示するデジタルフォトフレームであってもよい。例えば、写真が第２の電子デバイスのディスプレイ上に提示され、ユーザが同時にタッチするか又はデジタルフォトフレーム及び第２の電子デバイスの直接的近接に一緒にあるときに、"現在の写真をスライドショーに追加する"という制御オプションを有する制御ユーザインタフェースが現れる。このオプションは、写真が第２の電子デバイスのディスプレイ上に提示されていないときには示されない。これは、制御ユーザインタフェースの特定の制御オプションが特定の状況において役立たなくなることを阻止し、より直観的に第１の電子デバイスの制御を行う。
【００２１】
オプションとして、第１の電子デバイスは、第１の電子デバイスの異なる機能ユニットの近くに配置される複数の第１の体結合通信インタフェースを有し、各第１の体結合通信インタフェースは、識別データを伴う機能ユニットの識別に関連する機能ユニット識別データを第２の電子デバイスに送信する。第２の電子デバイスは、第１の電子デバイスの受信した識別データ及び機能ユニット識別データに依存して制御ユーザインタフェースを取得する。故に、提示された制御ユーザインタフェースは、ユーザによりタッチされる特定の機能ユニット、又は、ユーザの直接的近接にある特定の機能ユニットに関連する。一例において、第１の電子デバイスは、機能ユニット"ラウドスピーカ"又は"ＣＤラック"を有するジュークボックスであり、ユーザがラウドスピーカにタッチしたときには、提示されたインタフェースは、ボリューム及び音質に関連し、ユーザがＣＤラックにタッチしたときには、提示されたユーザインタフェースは、ジュークボックスにより再生されそうなＣＤを選択することに関連する。
【００２２】
オプションとして、第１の電子デバイスは、ワイヤレス伝送チャネルを介して他のデバイスと通信するための第１のワイヤレストランシーバを有し、第２の電子デバイスは、ワイヤレス伝送チャネルを介して他のデバイスと通信するための第２のワイヤレストランシーバを有し、第１の体結合通信インタフェースは、第１のワイヤレストランシーバを介してワイヤレス接続を設定のための接続セットアップデータを体伝送チャネルを介して送信するように構成され、第２の体結合通信インタフェースは、体伝送チャネルを介して接続セットアップデータを受信するように構成され、第２の電子デバイスのコントローラは、受信した接続セットアップデータを用いて第２のワイヤレストランシーバと第１のワイヤレストランシーバとの間のワイヤレス接続の生成を制御するように構成され、第２の電子デバイスは、制御データをワイヤレス接続を介して送信するように構成される。このオプショナルな実施形態は、一旦ワイヤレス接続が生成されと、ユーザは、第２の電子デバイスにより第１の電子デバイスを制御することができる双方の電子デバイスに継続的にタッチする必要はないか、又は、双方の体結合通信インタフェースの直接的近接に継続的にいる必要はない、という利点を提供する。とりわけユーザが第２の電子デバイスに入力を供給することができない状況において、タッチしている間、又は、時間的に同時に双方の体結合通信インタフェースの直接的近接にある間、別々に生成されたワイヤレス接続を介して制御データを通信することが有利である。ワイヤレス通信技術は、ワイヤレスＩＥＥＥ  ８０２．ｘ技術のうちの１つであってもよく、又は、他の例において、Ｂｌｕｅｔｏｏｔｈ接続であってもよい。本発明の特定の実施形態は、上記の所与のワイヤレス技術に限定されるものではなく、他のワイヤレス通信技術が同様に用いられてもよい。ホームネットワークにおいて、例えば、全てのデバイスがホームｗｉｆｉネットワークに接続されてもよく、通信された識別データは、第１の電子デバイスのＩＰアドレスを有する。この情報が知られている場合、第２の電子デバイスは、ＩＰアドレスを用いてホームｗｉｆｉネットワークを介して第１の電子デバイスにコンタクトし、制御ユーザインタフェースをリクエストしてもよい。
【００２３】
オプションとして、システムは、異なる電子デバイスのユーザインタフェースを格納するためのサーバを更に有する。サーバは、特定のネットワークに接続するためのネットワークインターフェースを有し、サーバは、第１の電子デバイスのための制御ユーザインタフェースを供給するためのリクエストの受信に基づいて第１の電子デバイスに関連した制御ユーザインタフェースを第２の電子デバイスに供給するように構成される。また、第２の電子デバイスは、特定のネットワークに接続するためのネットワークインターフェースを有する。更に、第２の電子デバイスは、第１の電子デバイスに関連した制御ユーザインタフェースを取得している間、特定のネットワークを介してサーバにリクエストを送信するように構成される。
【００２４】
中央サーバから制御ユーザインタフェースを取得することが有利な場合がある。サーバが制御ユーザインタフェースの最新及び最良のバージョンを常に利用可能にし得るためである。更に、サーバは、例えば第２の電子デバイスの特定の機能に適合される幾つかのバージョンを格納してもよい（例えば、第２の電子デバイスがどの制御ユーザインタフェースプロトコルをサポートするか）。サーバは、例えば制御ユーザインタフェースのより新しいバージョンが利用可能になったかどうかをチェックするために、第２の電子デバイスの内部メモリから制御ユーザインタフェースを取得することに加えてコンタクトされる場合もある。
【００２５】
本発明の一態様によれば、第１の電子デバイスを制御する方法が提供される。方法は、ａ）第１の電子デバイスの第１の体結合通信インタフェースの直接的近接にあるユーザの体をたどる体伝送チャネルを介して第１の電子デバイスの識別に関連した識別データを送信する段階と、ｂ）第１の体結合通信インタフェース及び第２の体結合通信インタフェースの直接的近接においてユーザの体と一緒にあるユーザの体をたどる体伝送チャネルを介して第２の電子デバイスの第２の体結合通信インタフェースにおいて識別データを受信する段階であって、それぞれの体結合通信インタフェースに対する体の直接的近接は、体と第１の体結合通信インタフェース及び第２の体結合通信インタフェースのそれぞれとの間の最大の距離として規定され、それぞれの体結合通信インタフェースは、体伝送チャネルを介してデータを送信及び／又は受信することが可能である、段階と、ｃ）識別データの受信に基づいて第１の電子デバイスに関連したユーザインタフェースを取得する段階と、ｄ）取得されたユーザインタフェースを第２の電子デバイスのユーザインタフェース提示部の支援によりユーザに提示する段階とを有する。
【００２６】
本発明の一態様による方法は、本発明の一態様による電子デバイス及びシステムと同じ利益を与え、電子デバイス及びシステムの対応する実施形態と類似の効果を有する類似の実施形態を有する。
【００２７】
オプションとして、方法は、ｅ）提示されたユーザインタフェースに関連したユーザ入力を第２の電子デバイスの入力受信手段において受信する段階と、ｆ）ユーザ入力が受信された後に制御データを第２の電子デバイスから第１の電子デバイスに送信する段階であって、制御データは、受信したユーザ入力に基づいている、段階と、ｇ）第１の電子デバイスにおいて制御データを受信する段階と、ｈ）受信した制御データに従って第１の電子デバイスの動作を制御する段階とを有する。
【００２８】
本発明の一態様によれば、本発明の一態様の方法のうちの１つをプロセッサシステムに実行させるための命令を有するコンピュータプログラム製品が提供される。
【００２９】
本発明のこれらの及び他の態様は、以下で述べられる実施形態から明らかになり、これらを参照して説明されるだろう。
【００３０】
本発明の上述したオプション、実装及び／又は態様のうちの２つ以上が有益であると考えられる任意の手段において組み合わせられてもよいことが当業者により理解されるだろう。
【００３１】
システム及び／又はデバイスの述べられた修正及び変更に対応するデバイス、システム、方法及び／又はコンピュータプログラム製品の修正および変更は、本説明に基づいて当業者により実行され得る。
【図面の簡単な説明】
【００３２】
【図１】本発明の一態様による第１の電子デバイス及び本発明の一態様による第２の電子デバイスを有する本発明の一態様によるシステムの一実施形態を図式的に示す。
【図２ａ】システムの他の実施形態を図式的に示す。
【図２ｂ】ディスプレイ上の示されたコンテンツに依存し得るユーザインタフェースの表示を図式的に示す。
【図３】システムの異なるデバイス間の通信及び異なるデバイスにより実行される動作をダイヤグラムにおいて図式的に示す。
【図４】本発明の一態様による方法を図式的に示す。
【発明を実施するための形態】
【００３３】
異なる図における同じ参照符号により示されるアイテムは、同じ構造的特徴及び同じ機能を有するか、又は、同じ信号であることに留意すべきである。斯様なアイテムの機能及び／又は構造が説明されている場合、詳細な説明においてその反復説明の必要はない。
【００３４】
図は単に図表であり、実寸では描かれていない。とりわけ明確にするため、一部の寸法は強調される。
【００３５】
図１は、本発明の一態様による第１の電子デバイス１１０及び本発明の一態様による第２の電子デバイス１２０を有する本発明の一態様によるシステム１００の一実施形態を図式的に示している。
【００３６】
第１の電子デバイス１１０は、例えばユーザによりタッチされ得る電極１１４を有する体結合通信インタフェース１１６を有する。また、第１の電子デバイス１１０は、第１の電子デバイス１１０の識別に関連するデータであるＩＤ１１２を有する。ＩＤ１１２は、例えば、デバイスのタイプを示すタイプ番号であるか、又は、第１の電子デバイスのデバイス特有のシリアル番号である。体結合通信インタフェース１１６は、第１の体結合通信インタフェース１１６にタッチするユーザ１５０の体をたどる体伝送チャネル１６０を介して第１の電子デバイス１１０の識別に関連する識別データを送信するように構成される。より詳細には、ユーザ１５０は、第１の体結合通信インタフェース１１６の電極１１４にタッチしてもよい。識別データは、ＩＤ１１２に基づいている。
【００３７】
第２の電子デバイス１３０は、ディスプレイ１３８、入力受信手段１４０、第２の体結合通信インタフェース１３４及びコントローラ１３６を有する。ディスプレイ１３８は、ユーザインタフェースをユーザ１５０に示すことが可能である。入力受信手段１４０は、ユーザ１５０からのユーザ入力を受信するためのものである。第２の体結合通信インタフェース１３４は、例えば、電極１３２を有する。第２の体結合通信インタフェース１３４は、第１の電子デバイス１１０の第１の体結合通信インタフェース１１６及び第２の体結合通信インタフェース１３４に同時にタッチするユーザ１５０の体をたどる体伝送チャネル１６０を介して識別データを受信するように構成される。コントローラ１３６は、第１の電子デバイスの識別データの受信に基づいて第１の電子デバイスに関連した制御ユーザインタフェースを取得するように構成される。また、コントローラ１３６は、取得された制御ユーザインタフェースをディスプレイ１３８上に提示するように構成される。
【００３８】
システム１００は、体結合通信を用いる。これは、ユーザ１５０の体を介して体伝送チャネル１６０が形成され、これを介して、２つの体結合通信インタフェース１１４，１３４間でデータが送信され得ることを意味する。斯様な技術の詳細は、他の文書（例えば、米国特許６２１１７９９号又は米国特許５９１４７０１号）において見つけられ得る。特定の実装に依存して、体結合通信インタフェース１１６，１３４は、ユーザ１５０によりタッチされなければならない電極１１４，１３２を有する。他の実装において、体との直接的電気接触は必要ではなく、例えば、体伝送チャネル１６０を介して情報を送信する手段として使用される容量性結合である。この文書の状況において、ユーザが異なる電子部品デバイス１１０，１３０の２つの体結合通信インタフェース１１６，１３４にタッチしたときに、データが第１の電子デバイス１１０と第２の電子デバイス１３０との間で送信され得るとともに、データが他のデバイスに送信されないことだけが重要である。故に、体伝送チャネル１６０は選択的である。即ち、特定の電子デバイスとのタッチ接触がある場合にのみ、このデバイスは、体伝送チャネル１６０を介してデータを送信又は受信し得る。
【００３９】
図１のシステム１００において、本発明の動作は、例えば、以下のステップを有する。ユーザ１６０は、第１の体結合通信インタフェース１１６及び第２の体結合通信インタフェース１３４を同時にタッチする。その後、第１の体結合通信インタフェース１１６は、第１の電子デバイス１１０のＩＤ１１２に基づく識別データを体伝送チャネル１６０を介して第２の体結合通信インタフェース１３４に向かって送信する。第２の体結合通信インタフェース１３４は、識別データを受信し、識別データをコントローラ１３６に転送する。その後、コントローラ１３６は、第１の電子デバイス１１０を制御するためにユーザ１５０により用いられ得る制御ユーザインタフェースを選択及び／又は取得するために識別データを用いる。その後、取得された制御ユーザインタフェースは、取得された制御ユーザインタフェースを表示するディスプレイ１３８に供給される。
【００４０】
コントローラ１３６が制御ユーザインタフェースを選択及び／又は取得したときに、コントローラ１３６は、例えば、第２の電子デバイス１３０の内部記憶装置１４２から制御ユーザインタフェースを取得してもよい。他の実施形態において、第２の電子デバイス１３０は、体伝送チャネル１６０を介して、第１の電子デバイス１１０に、制御ユーザインタフェースを供給するようリクエストしてもよく、制御ユーザインタフェースは、その後、体伝送チャネル１６０を介して第２の電子デバイス１１０に向かって第１の電子デバイス１１０により送信される。また、第２の電子デバイス１３０は、第１の電子デバイス１１０に、体伝送チャネル１６０とは異なる他の通信チャネルを介して制御ユーザインタフェースを供給することをリクエストしてもよい。
【００４１】
追加の実施形態において、ユーザは、入力受信手段１４０を介して、表示された制御ユーザインタフェースに関する制御入力を供給してもよい。その後、第２の電子デバイス１３０は、受信した制御入力に基づく制御データを第１の電子デバイス１１０に向かって送信する。第１の電子デバイス１１０は、制御データを受信し、受信したデータに従ってその動作を制御するために制御データを用いる。また、制御データの伝送は、体伝送チャネル１６０を介して実行されてもよいが、他の実施例において、第１の電子デバイス１１０と第２の電子デバイス１３０との間の他の通信チャネルが用いられてもよい。第２の電子デバイス１３０は、例えば、制御ユーザインタフェースにおいて利用可能である情報に基づいて制御データを生成してもよい。あるいは、制御データは、予め規定された規格に基づいて生成されてもよい。そして、例えば、制御ユーザインタフェースは、一種のＨＴＭＬベースのウェブページであり、ＨＴＭＬウェブページは、特定のボタンが押されたときに、第１の電子デバイスに送られなければならない情報を有し得る。
【００４２】
第１の電子デバイス１１０は、制御され得る任意の電子デバイスであってもよい。これは、直接的な制御インタフェースをユーザに提供しない全てのデバイスを含む。例えば、第１の電子デバイス１１０は、調光器を有する照明器具であってもよく、第２の電子デバイス１３０は、放射された光強度を制御するために用いられ得る。例えば、第１の電子デバイス１１０は、受信したオーディオ信号を増幅するアンプであってもよく、増幅信号をラウドスピーカに供給してもよい。斯様な実施形態において、第２の電子デバイスは、音の強度を制御するために用いられてもよい。例えば、第１の電子デバイスは、自己の制御ボタンを有するか又は自己のリモートコントローラを有する電子デバイス（例えば、ディスプレイ又はテレビ受像器）であってもよい。第２の電子デバイスは、どの第１の電子デバイスが制御されるべきかを予め選択する必要なく、これらのデバイスのための汎用のリモートコントローラとして用いられ得る。
【００４３】
図１の実施形態の上記の与えられた説明において、第１の電子デバイス１１０及び第２の電子デバイス１３０は、ユーザ１５０がそれぞれの体結合通信インタフェース１１６，１３４にタッチしたときに、体伝送チャネル１６０を介して通信することができることが述べられていることに留意されたい。しかしながら、体結合通信は、体結合通信インタフェースのタッチに限定されるものではない。体結合通信技術の特定の実施形態において、ユーザ１５０の体は、体伝送チャネル１６０を介してデータを送信及び受信するために、それぞれの体結合通信インタフェース１１６，１３４の直接的近接になければならない。直接的近接は、体がそれぞれの体結合通信インタフェース１１６，１３４の最大距離の範囲内にあることを意味する。最大距離は、５センチメートル、又は、例えば、２センチメートル若しくは１センチメートルであってもよい。ユーザがそれぞれの体結合通信インタフェース１１６，１３４にタッチしていることの検出、又は、ユーザがそれぞれの体結合通信インタフェース１１６，１３４の直接的近接にあることの検出は、電極１１４，１３２の特定の特性の急変を測定することにより、又は、特定の追加要素によりユーザ１５０の体の存在を測定することにより、実行され得る。この文書の以下のものにおいて、"電子デバイスにタッチする"又は"体結合通信インタフェースにタッチする"ことが述べられた位置において、これは、"ユーザの体は、体結合通信デバイスの直接的近接にある"と読まれてもよい。
【００４４】
図１の上述した実施形態において、及び、以下の実施形態において、第２の電子デバイス１３０は、ディスプレイ１３８を有する。しかしながら、本発明は、ディスプレイを有する第２の電子デバイス１３０に限定されるものではないことに留意されるべきである。第２の電子デバイス１３０は制御ユーザインタフェースを提示可能であることだけが必要である。提示することは、広く解釈されなければならない。即ち、ユーザは、提示された制御ユーザインタフェースを認識することができなければならない。ディスプレイ上に異なる制御オプションを提示する代わりに又はそれに加えて、第２の電子デバイスは、可聴手段において異なる制御オプションを提示してもよい。
【００４５】
図２ａは、システム２００の他の実施形態を図式的に示している。システム２００は、図１の第１の電子デバイス１１０の全ての要素（図示省略）を有し、画像を提示するためのディスプレイ、フレーム２１４、主電源への電力接続２２２及び第１のワイヤレス通信インタフェース２２４を更に有する、電子フォトフレーム２１０を有する。フレーム２１４は、第１の体結合通信インタフェース（図示省略）の一体部分である。フレーム２１４は、例えば、第１の体結合通信インタフェースの電極を形成する金属から作られる。システム２００は、図１の第２の電子デバイス１３０の全ての要素（図示省略）を有し、部分的に電気伝導性であるハウジング２３２を更に有し、第２のワイヤレス通信インタフェース２４２を更に有する、タブレットコンピュータ２３０を更に有する。ハウジング２３２は、第２の体結合通信インタフェース（図示省略）の一体部分を形成する。ハウジングが少なくとも部分的に電気伝導性であるので、ハウジングは、第２の体結合通信インタフェースの一種の電極である。また、タブレットコンピュータ２３０のディスプレイは、ユーザ入力を受信するためにタッチセンサ方式である。換言すれば、ディスプレイ及びユーザ入力受信手段は、特定のタッチセンサ式ディスプレイにおいて一体化される。タブレットコンピュータ２３０のプロセッサは、第２の電子デバイスのコントローラのタスクを実行してもよく、内部メモリ又はハードディスクディスクは、タブレットコンピュータ２３０の内部記憶装置を形成する。
【００４６】
図２のシステム２００において、電子フォトフレーム２１０の識別データが体伝送チャネル１６０を介して送信されるだけでなく、タブレットコンピュータ２３０が第２のワイヤレスインタフェース２４２と第１のワイヤレスインタフェース２２４との間のワイヤレスネットワーク接続を設定するのに十分な情報を有する接続セットアップデータも送信される。接続セットアップデータは、例えば、ワイヤレスネットワーク接続を確立するためのセキュリティキー、及び／又は、第１のワイヤレスインタフェース２２４が動作するチャネルに関する情報、及び／又は、第１のワイヤレスインタフェース２２４のネットワーク識別名等を有してもよい。故に、ユーザ１５０が電子フォトフレーム２１０のフレーム２１４及びタブレットコンピュータ２３０のハウジング２３２に同時にタッチしたときに、識別データ及び接続セットアップデータが、電子フォトフレーム２１０からタブレットコンピュータ２３０に向かって送信される。受信した識別データは、電子フォトフレーム２１０に関連する制御ユーザインタフェースを選択及び／又は取得するために用いられ、受信した接続セットアップデータは、電子フォトフレーム２１０とタブレットコンピュータ２３０との間のワイヤレスインタフェース２２４，２４２を介したワイヤレスネットワーク接続を確立するために用いられる。確立されたワイヤレスネットワーク接続は、電子フォトフレーム２１０とタブレットコンピュータ２３０との間で情報を通信するために用いられ得る。この情報は、制御ユーザインタフェース、及び／又は、電子フォトフレーム２１０を制御するための制御データを供給するために、タブレットコンピュータ２３０から電子フォトフレーム２１０へのリクエストを含んでもよい。また、画像のような他のデータは、確立されたワイヤレスネットワーク接続を介して転送されてもよい。体伝送チャネル１６０に加えて、２つのデバイス２１０，２３０間の通信チャネルの容量を増大させるために他のワイヤレスネットワーク接続を確立すること、及び／又は、ユーザが両手でタブレットコンピュータ２３０に入力を与えることができるように一方の手を電子フォトフレーム２１０のフレーム２１４から放すことを可能にすることが有利である。ワイヤレスネットワーク接続を介して通信するために用いられ得るワイヤレス通信技術の一例は、Ｂｌｕｅｔｏｏｔｈ、Ｗｉｆｉ（８０２．１１プロトコルのうちの１つに従ったワイヤレス通信）、Ｚｉｇｂｅｅ（又は、８０２．１５プロトコルのうちの１つに従った他のワイヤレス通信プロトコル）、ＷｉＭａｘ（Ｂｒｏａｄｂａｎｄ  Ｗｉｒｅｌｅｓｓ  Ａｃｃｅｓｓ、ＩＥＥＥ８０２．１６規格）、ＵＭＴＳ、ＬＴＥ等である。
【００４７】
また、図２ａのシステム２００は、他の特定の実施形態を提供する。タブレットコンピュータ２３０のディスプレイは、ユーザインタフェースを提示することに加えて、他のコンテンツ（例えば画像２４４又はビデオ）を示すことも可能である。斯様な他のコンテンツが提示され、ユーザが電子フォトフレーム２１０及びタブレットコンピュータ２３０に同時にタッチしたときに、タブレットコンピュータ２３０のコントローラは、電子フォトフレーム２１０に関連する制御ユーザインタフェースを選択及び／又は取得するための状態として、受信した識別データを用いるだけでなく、選択基準として、提示されたコンテンツも用いる。例えば、画像がタブレットコンピュータ２３０のディスプレイ上に提示されたときには、制御ユーザインタフェースは、"現在の画像をフォトフレームのスライドショーに追加する"というオプションを含むべきである。あるいは、ビデオが提示されたときに、制御ユーザインタフェースは、"ビデオの現在のフレームをフォトフレームのスライドショーに追加する"というオプションを含むべきであり、又は、電子フォトフレーム２１０がビデオを提示可能であるときに、制御ユーザインタフェースにおける追加的に提示されたオプションが、"現在のビデオをフォトフレームのスライドショーに追加する"ことであってもよい。換言すれば、タブレットコンピュータ２３０は、ユーザが時間的に同時に双方のデバイス２１０，２３０にタッチしたときに、状況を意識した制御ユーザインタフェースを提示する。タブレットコンピュータ２３０は、その内部記憶装置における幾つかの制御ユーザインタフェースを格納していたかもしれない。あるいは、タブレットコンピュータ２３０が電子フォトフレーム２１０から、又は、タブレットコンピュータ２３０が接続されるネットワークに接続されたサーバから要求するときに、制御ユーザインタフェースを供給するためのリクエストは、タブレットコンピュータ２３０のディスプレイに表示されている情報のタイプに関連した情報を含む。これにより、適切な制御ユーザインタフェースが、電子フォトフレーム２１０又はサーバにより供給され得る。ディスプレイ上に提示されているコンテンツの使用は、異なるタイプのコンテンツが提示されている場合、例えば、他のデバイスがタブレットコンピュータ２３０のディスプレイ上に提示されている特定のコンテンツを扱うことができないときに、異なる制御ユーザインタフェースの提示を常にもたらすことに留意されたい。
【００４８】
他のオプショナルな実施形態において、電子フォトフレーム２１０は、その機能に関する情報をタブレットコンピュータ２３０に供給する。この情報は、体伝送チャネル１６０を介して、又は、他の確立された（ワイヤレス）通信チャネルを介して送信され得る。機能の情報は、例えば、電子フォトフレーム２１０がビデオファイルを提示可能かどうか、電子フォトフレーム２１０がスライドショーにおける提示のために追加の画像を格納することができるかどうか、を有する。この情報は、適切な制御ユーザインタフェースを取得／選択するためにタブレットコンピュータ２３０により用いられてもよい。これは、特定のオプションを制御ユーザインタフェースに追加するか又は特定のオプションを除去するためにタブレットコンピュータ２３０により用いられ得る。
【００４９】
図２ｂは、タブレットコンピュータ２３０のディスプレイ上の提示されたコンテンツ２４４に依存し得るユーザインタフェース２４８の表示を図式的に示す。図２ｂの左側において、タブレットコンピュータ２３０が画像２４４を提示する。その後、ユーザ１５０が電子部品フォトフレーム２１０及びタブレットコンピュータ２３０に時間的に同時にタッチしたときに、タブレットコンピュータ２３０のディスプレイ上の提示された情報は、例えば図２ｂの右側に示される状況に向かって変化する。右側において、背景において、画像２４４と類似するが、例えば、グレイレベルに対してのみ、又は、他の輝度レベルに対して、変化される画像２４６が提示される。前景において、電子フォトフレーム２１０に関連する制御ユーザインタフェース２４８が提示される。制御ユーザインタフェース２４８は、例えば、ユーザによりタッチされ得る異なるボタン２５０を有する。例えば、ボタン２５０は、"スライドショーを開始する"、"スイッチを切る"、"強度を増大させる"、"強度を減少させる"であり、この特定の例において、"現在の画像をスライドショーに追加する"ためのボタン２５０である。ユーザが電子フォトフレーム２１０及びタブレットコンピュータ２３０に同時にタッチした特定の時点において、特定のコンテンツがタブレットコンピュータのディスプレイ上に提示されなかった場合、"現在の画像をスライドショーに追加する"というオプションは、表示された制御ユーザインタフェース２４８において提示されない。
【００５０】
図３は、一種のシーケンス図３００において、システムの異なるデバイス間の通信及び異なるデバイスにより実行される動作を概略的に示している。図３００の垂直方向は、時間の次元を表す。左側において、第１の電子デバイス３１０に関連する第１のラインが描かれ、中央において、第２の電子デバイス３３０に関連する第２のラインが描かれ、右側において、オプショナルなサーバ３９０に関連する第３のラインが描かれる。第１の電子デバイス３１０は、図１及び図２ａの状況において述べられた実施形態による電子デバイスであってもよい。第２の電子デバイスは、図１及び図２ａの状況において述べられた実施形態による電子デバイスであってもよい。第１のラインと第２のラインとの間において矢印が描かれる場合、矢印は、第１の電子デバイス３１０と第２の電子デバイス３３０との間での情報の通信を表し、又は、逆もまた同じである。第２のラインと第３のラインとの間において矢印が描かれる場合、矢印は、第２の電子デバイス３３０とサーバ３９０との間での情報の通信を表し、又は、逆もまた同じである。第２のラインの直ぐ右には、第２の電子デバイス３３０により実行される幾つかの動作が、丸みを帯びたボックスにより図式的に表される。矢印又はボックスが破線で描かれる場合、これらはオプショナルである。
【００５１】
図３００は、ユーザが第１の電子デバイス３１０の第１の体結合通信インタフェース及び第２の電子デバイス３３０の第２の体結合通信インタフェースに同時にタッチする時点（図示省略）から開始する。このイベントに続いて、（前述したような）体伝送チャネルを介した第１のデバイス３１０から第２のデバイス３３０への識別データ"ＩＤ  Ｄａｔａ"の伝送がある。
【００５２】
オプションとして、識別データ"ＩＤ  Ｄａｔａ"の送信に続いて、ワイヤレスネットワーク接続の設定に関連する一部の通信３２０があってもよい。ワイヤレスネットワーク接続の設定に関する通信３２０は、体伝送チャネルを介した第１のデバイス３１０から第２のデバイス３３０への送信接続セットアップデータ"Ｃｏｎ  Ｄａｔａ"により開始する。その後、第２の電子デバイス３３０は、ワイヤレス伝送媒体を介して第１の電子デバイス３１０に接続し、接続の確立は、ワイヤレス伝送媒体を介して第１の電子デバイス３１０により確認されてもよい。ワイヤレスネットワーク接続の設定に関する通信３２０は、時間的に後に実行されてもよく、識別データ"ＩＤデータ"を送信した後に続く第１のタイプの通信は必要でないことに留意されたい。通信３２０は、第１の電子デバイス３１０及び／又は第２の電子デバイス３３０により行われる他の動作と並行して実行されてもよい。
【００５３】
識別データ"ＩＤ  Ｄａｔａ"を受信した後に、第２の電子デバイス３３０のコントローラは、受信した識別データ"ＩＤ  Ｄａｔａ"に基づいて、第１の電子デバイス３１０に関連する制御ユーザインタフェースを取得及び／又は選択する"ＯＵＩ"。取得及び／又は選択"ＯＵＩ"の３つの異なる実施形態が図３に描かれている。第１の実施形態"Ｓｔｏ"において、第２の電子デバイス３００は、自己の内部記憶装置から制御ユーザインタフェースを取得する。内部記憶装置において、幾つかの制御ユーザインタフェースは、格納されてもよく、受信した識別データ"ＩＤ  Ｄａｔａ"に基づいて、正しい制御ユーザインタフェースが選択される。第２の実施形態"ＢＴｃ"において、第２の電子デバイス３００は、制御ユーザインタフェースを第１の電子デバイス３１０から体伝送チャネルを介して取得する。そのために、第２の電子デバイス３３０は、第１の電子デバイス３１０にリクエスト"ｒｅｑ"を送信し、これは、自己の制御ユーザインタフェース"ＣＵＩ"を第２の電子デバイス３３０に送信する第１の電子デバイス３１０からの応答をもたらし得る。代替の第２の実施形態において、リクエスト及び制御ユーザインタフェースの伝送は、前に確立されたワイヤレスネットワーク接続を介して実行される。第３の実施形態"ＯＳｅｒｖ"において、第２の電子デバイス３００は、第２の電子デバイス３３０及びサーバ３９０が接続されている特定のネットワークを介して、制御ユーザインタフェースをサーバ３９０から取得する。そのために、第２の電子デバイス３３０は、第１の電子デバイス３１０に関連している制御ユーザインタフェースを供給するためにリクエスト"ｒｅｑ"をサーバ３９０に送信し、サーバ３９０は、正しい制御ユーザインタフェース"ＣＵＩ"を第２の電子デバイス３３０に送信することにより応答する。
【００５４】
その後、第２の電子デバイス３３０は、そのディスプレイ上の取得／選択された制御ユーザインタフェースを提示する"ＰＵＩ"。
【００５５】
オプションとして、第２の電子デバイス３３０は、示された制御ユーザインタフェースに関連するユーザ入力をユーザから受信する"ＲＵＩｎ"。受信したユーザ入力は、後に第１の電子デバイス３１０に送信される制御データ"Ｃｔｒｌ  Ｄａｔａ"のためのベースである。この伝送は、体伝送チャネルを介して、又は、２つのデバイス３１０，３３０間の前に確立されたワイヤレスネットワーク接続を介して、実行されてもよい。第１の電子デバイスにおける制御データ"Ｃｔｒｌ  Ｄａｔａ"の受信に続いて、第１の電子デバイス３１０の動作を制御する"ＣＴＲＬ"動作がある。
【００５６】
第１の電子デバイスを制御するためのシステムの代替実施形態において、第１の電子デバイスは、幾つかの機能ユニットを有し、各機能ユニットは、第１の体結合通信インタフェースによって供給される。これらの第１の体結合通信インタフェースは、第１の電子デバイスの識別データと一緒に、機能ユニットの識別指標も送信するように構成され、従って、第２の電子デバイスは、特定の機能ユニット及び特定の第１の電子デバイスに関連するユーザインタフェースを取得可になる。例えば、第１の電子デバイスはテレビである。ユーザがディスプレイユニットにタッチしたとき、ユーザインタフェースがユーザに提示され、これは、輝度、コントラスト、カラーバランス等のような、ディスプレイユニットの制御可能な特性に関連する。ユーザがラウドスピーカユニットにタッチしたとき、他のユーザインタフェースがユーザに提示され、これは、ボリューム、音質等のような、オーディオの制御可能な特性に関連する。
【００５７】
第１の電子デバイスを制御するためのシステムの代替実施形態において、第１の電子デバイスは、店内の支払いユニットである。ユーザが支払いユニットにタッチし、同時にユーザの携帯電話機にタッチしたときに、支払いユニットの少なくとも識別データが携帯電話機に転送され、携帯電話機は、支払いユニットが取り付けられる店の様式の支払いユーザインタフェースを提示する。この実施形態において、体伝送チャネルは、例えばアカウント情報、公開の鍵、支払われる額等のような、支払取引に関連する他データを安全に送信するために用いられてもよい。提示された支払いユーザインタフェースは、例えば、支払い端末がユーザの口座から支払い額を差し引いてもよいという確認である制御入力をユーザが供給するのを可能にする。
【００５８】
図４は、本発明の一態様による方法４００を図式的に示す。方法は、ａ）第１の電子デバイスの第１の体結合通信インタフェースにタッチするユーザの体をたどる体伝送チャネルを介して第１の電子デバイスの識別に関連する識別データを送信する段階４０２と、ｂ）第１の体結合通信インタフェース及び第２の体結合通信インタフェースに同時にタッチするユーザの体をたどる体伝送チャネルを介して第２の電子デバイスの第２の体結合通信インタフェースにおいて識別データを受信する段階４０４と、ｃ）識別データの受信に基づいて第１の電子デバイスに関する制御ユーザインタフェースを取得する段階４０６と、ｄ）取得された制御ユーザインタフェースを第２の電子デバイスのディスプレイ上に提示する段階４１４とを有する。
【００５９】
制御ユーザインタフェースを取得する段階４０６は、以下の下位段階のうち少なくとも１つを有し得る：ｉ）第２の電子デバイスの内部格納媒体から制御ユーザインタフェースを取得する段階４０８、ｉｉ）体伝送チャネルを介して、又は、第１の電子デバイスと第２の電子デバイスとの間にある他の通信チャネルを介して、第１の電子デバイスから制御ユーザインタフェースを取得する段階４１０、及び、ｉｉｉ）第２の電子デバイスが結合されるネットワークに結合されるサーバから制御ユーザインタフェースを取得する段階４１２。
【００６０】
オプショナルな実施形態において、段階４０４，４０６，４１４と並行して、又は、制御ユーザインタフェースを提示４１４した後に、方法４００の以下の段階が実行される：ｅ）接続セットアップデータを体伝送チャネルを介して第１の電子デバイスから送信する段階４１６、ｆ）第２の電子デバイスにおいて接続セットアップデータを受信する段階４１８、及び、ｇ）第１の電子デバイスと第２の電子デバイスとの間のワイヤレスネットワーク接続を確立する段階４２０。
【００６１】
オプショナルな実施形態において、方法４００は、ｈ）第２の電子デバイスの入力受信手段において提示されたユーザインタフェースに関連したユーザ入力を受信する段階４２２と、ｉ）ユーザ入力が受信された後に制御データを第２の電子デバイスから第１の電子デバイスに送信する段階４２４であって、制御データは、受信したユーザ入力に基づく、段階４２４と、ｊ）第１の電子デバイスにおいて制御データを受信する段階４２６と、ｋ）受信した制御データに従って第１の電子デバイスの動作を制御する段階４２８とを更に有する。
【００６２】
要約すると、第１の電子デバイス、第２の電子デバイス、並びに、第１及び第２の電子デバイスを有するシステムが提供される。また、第１の電子デバイスを制御する方法及び方法を実行するためのコンピュータプログラムが提供される。第１の電子デバイス及び第２の電子デバイスは、各々が体結合通信インタフェースを有し、ユーザが双方の体結合通信インタフェースの直接的近接にあるとき、第１の電子デバイスは、識別データを体伝送チャネルを介して第２の電子デバイスに送信する。その後、第２の電子デバイスは、受信した識別データに基づいて、制御ユーザインタフェースを取得する。取得された制御ユーザインタフェースは、第２の電子デバイスのユーザインタフェース提示部上に提示される。
【００６３】
上述の実施形態は、本発明を限定するよりはむしろ例示であり、当業者は、添付の特許請求の範囲から逸脱することなく多くの代替実施形態を設計することが可能であることに留意すべきである。
【００６４】
請求項において、括弧間に配置された任意の参照符号は、請求項を限定するものとして考慮されるべきではない。"有する"という動詞の使用及びその活用は、請求項に記載されたもの以外の要素又はステップの存在を除外するものではない。要素の単数標記は、斯様な要素の複数の存在を除外するものではない。本発明は、幾つかの異なる要素を有するハードウェアによって、及び、適切にプログラムされたコンピュータによって実装されてもよい。幾つかの手段を列挙している装置に係る請求項において、これらの手段の幾つかは、ハードウェアの全く同一のアイテムにより具現化されてもよい。特定の手段が相互に異なる従属請求項に記載されるという単なる事実は、これらの手段の組み合わせが有効に用いられ得ないことを示すものではない。
【図１】
2016511947.tif 000003
【図２ａ】
2016511947.tif 000004
【図２ｂ】
2016511947.tif 000005
【図３】
2016511947.tif 000006
【図４】
2016511947.tif 000007
【国際調査報告】
2016511947.tif 000008
2016511947.tif 000009